(57)【要約】  喫煙品用パック（１）が開示されている。本発明のパックは、２つの対向する大きな壁の間を延びたこれより小さい２つの小さい側壁、頂壁および底壁を有し、喫煙品用の空間を画定した胴体を有する。パック（１）は、この空間内の喫煙品に触れることできるようにするために少なくとも１つの小さい壁に設けられた開口部と、この開口部が形成された小さい壁に枢動可能に取り付けられ、該開口部を開閉するための蓋（４）とをさらに含む。蓋（４）は、大きな壁の少なくとも１つの面に対して斜めに延びたヒンジ線（１７）に沿って小さい壁の１つに取り付けられている。
2015509890.tif 000002
【特許請求の範囲】
【請求項１】
喫煙品用のパックであって、このパックは、２つの対向する大きな壁の間を延びたこれより小さい２つの小さい側壁、頂壁および底壁を有し、喫煙品用の空間を画定した胴体と、この空間内の喫煙品に触れることできるようにするために少なくとも１つの小さい壁に設けられた開口部と、この開口部が形成された小さい壁に枢動可能に取り付けられ、該開口部を開閉するための蓋とを含み、蓋は、大きな壁の少なくとも１つの面に対して斜めに延びたヒンジ線に沿って小さい壁の１つに取り付けられているパック。
【請求項２】
前記ヒンジ線は、開口部が設けられた小さい壁の対向する第１および第２縁部の間を延び、第１縁部は小さい壁および２つの大きい壁の１つによって画定され、第２縁部は、小さい壁ともう一方の大きい壁によって画定されていることを特徴とする請求項１記載のパック。
【請求項３】
ヒンジ線は、開口部が形成された小さい壁の対向する第３および第４縁部の間を延び、第３の縁部はこの小さい壁と２つの対向する小さい壁の内の１つによって画定され、第４の縁部はこの小さい壁と２つの対向する小さい壁のもう一方の壁によって画定されていることを特徴とする請求項１記載のパック。
【請求項４】
ヒンジ線は、開口部が形成された小さい壁の第１および第３縁部の間を延び、第１縁部はこの小さい壁と大きい壁の内の１つによって画定され、第３の縁部は、この小さい壁ともう一方の小さい壁によって画定されていることを特徴とする請求項１記載のパック。
【請求項５】
ヒンジ線は、小さい壁の内の１つと大きな壁の内の１つの間に形成された１つの角から、別の小さい壁ともう一方の大きな壁によって形成された反対の角へと延びていることを特徴とする請求項１記載のパック。
【請求項６】
蓋が開口部を覆う閉じた位置に蓋を保持するように構成された係止機構を含んで構成されていることを特徴とする請求項１乃至５いずれか１項記載のパック。
【請求項７】
前記大きい壁または小さい壁の内の一方の内面に接して位置するフレームをさらに含み、前記蓋はヒンジ式蓋壁とその縁部から垂下した第２の蓋壁とを含み、第２の蓋壁は、蓋が閉じた位置にあるとき、フレームに形成された第２係止エレメントと係合する第１係止エレメントを含むことを特徴とする請求項６記載のパック。
【請求項８】
開口端部が形成された外方ハウジングをさらに含んでもよく、胴体は、外方ハウジング内に収容され、そして胴体が外方ハウジング内に実質的に収容され、蓋が開口部を覆う閉じた位置と胴体が少なくとも部分的に外方ハウジングの開口端部から延出し、開口部を露出させる開いた位置の間で外方ハウジング内を入れ子式にスライド可能に構成されていることを特徴とする請求項６記載のパック。
【請求項９】
前記蓋はヒンジ式蓋壁とその縁部から垂下した第２の蓋壁とを含み、第２の蓋壁は、蓋が閉じた位置にあるとき、外方ハウジングに形成された第２係止エレメントと係合する第１係止エレメントを含むことを特徴とする請求項８記載のパック。
【請求項１０】
前記ハウジングの内面に接して位置するフレームをさらに含み、蓋はヒンジ式蓋壁とその縁部から垂下した第２の蓋壁とを含み、第２の蓋壁は、蓋が閉じた位置にあるとき、フレームに形成された第２係止エレメントと係合する第１係止エレメントを含むことを特徴とする請求項８記載のパック。
【請求項１１】
胴体を外方ハウジングに対してスライド方向に付勢するように構成された付勢エレメントをさらに含むことを特徴とする請求項８乃至１０いずれか１項記載のパック。
【請求項１２】
前記開口部は、２つの小さい壁を横断して延び、蓋が閉じた位置にあるとき、ヒンジ式蓋壁と第２の蓋壁はこの開口部を覆うことを特徴とする請求項７乃至１１いずれか１項記載のパック。
【請求項１３】
開口部は、２つの小さい壁と大きい壁を横断して延び、蓋は、蓋が閉じた位置にあるとき、開口部を覆うように第３の壁を含むことを特徴とする請求項７乃至１１いずれか１項記載のパック。
【請求項１４】
蓋が取り付けられている小さい壁は、胴体の小さい頂壁であることを特徴とする請求項１乃至１３いずれか１項記載のパック。
【請求項１５】
蓋が取り付けられている小さい頂壁は、２つの小さい側壁および２つの大きい壁より小さいことを特徴とする請求項１４記載のパック。
【請求項１６】
胴体の開口部は、小さい頂壁と小さい側壁の１つの少なくとも一部を横断して延び、蓋は開口部が形成された小さい側壁に取り付けられ、本発明のパックは、さらに内方ケーシングを含み、内方ケーシングは、胴体に収容され、そして内方ケーシングが実質的に胴体に収容され、蓋が開口部を少なくとも部分的に覆う閉じた位置と内方ケーシングの少なくとも一部が胴体の小さい頂壁の開口部から延出し、蓋が開口部から離れて延びた開いた位置の間で胴体内を入れ子式にスライド可能に構成されていることを特徴とする請求項１乃至６いずれか１項記載のパック。
【請求項１７】
喫煙品用パックが提供され、このパックは、２つの対向する大きい壁の間を延びたこれより小さい２つの側壁、底壁および開口頂端部を有する外方ハウジングと、一束の喫煙品を収容するように構成された内方ケーシングとを含み、この内方ケーシングは、内方ケーシングの少なくとも一部が外方ハウジングの開口端から延出し、内方ケーシングに収容された喫煙品に触れることができるようにする開いた位置と内方ケーシングが開いた位置より外方ハウジング内に格納された閉じた位置の間で外方ハウジング内を入れ子式にスライド可能であり、このパックは、さらにヒンジ式蓋を含み、この蓋は、その少なくとも一部が開口頂端部を覆う閉じた位置とそれがこの開口頂端部から離れるように延びた開いた位置との間で枢動可能であり、このヒンジ式蓋は、大きな壁に直交する角度で形成されたヒンジ線に沿って外方ハウジングの小さい側壁の１つに接続されているパック。
【請求項１８】
胴体を外方ハウジングに対してスライド方向に付勢するように構成された付勢エレメントをさらに含むことを特徴とする請求項１７記載のパック。
【発明の詳細な説明】
【技術分野】
【０００１】
本発明は、喫煙品用パックに関する。
【背景技術】
【０００２】
紙巻きタバコなどの喫煙品は、通常、パックに収容され、そのパックの総合的な機能は、機械的および環境的な損傷を受けないように紙巻きタバコを保護することである。ヒンジ式蓋付きおよびシェル式パックなどの種々の構成の紙巻きタバコパックが存在している。
【０００３】
ヒンジ式蓋付きパックは、喫煙品の束を保持するためのスペースを画定する胴体と蓋とを含む。蓋は、胴体の大きい方の後壁にヒンジ線に沿って取り付けられ、このヒンジ線は、大きい方の壁の長手方向縁部に対して直角であり、これにより蓋が開いた位置および閉じた位置の間で回転することができる。シェル式パックは、スライド可能な内方容器を含み、これはパックの長手方向縁部に直角なヒンジ線に沿って側壁の１つにヒンジ式に取り付けられた蓋を有する。内方容器は、開いた位置および閉じた位置の間で外方シェルに対してスライド可能であり、開いた位置において蓋は、その中に保持された喫煙品に触れることができるようにする開口部を露出させる。閉じた位置において、内方容器は、外方シェル内に完全に収容され、蓋は開口部を覆う。
【発明の概要】
【発明が解決しようとする課題】
【０００４】
本発明は改良されたおよび／またはこれまでにない構成の喫煙品用のパックを提供するものである。
【課題を解決するための手段】
【０００５】
本発明では喫煙品用のパックであって、このパックは、２つの対向する大きな壁の間を延びたこれより小さい２つの小さい側壁、頂壁および底壁を有し、喫煙品用の空間を画定した胴体と、この空間内の喫煙品に触れることできるようにするために少なくとも１つの小さい壁に設けられた開口部と、この開口部が形成された小さい壁に枢動可能に取り付けられ、該開口部を開閉するための蓋とを含み、蓋は、大きな壁の少なくとも１つの面に対して斜めに延びたヒンジ線に沿って小さい壁の１つに取り付けられている。
【０００６】
ある実施態様において、ヒンジ線は、開口部が設けられた小さい壁の対向する第１および第２縁部の間を延び、第１縁部は小さい壁および２つの大きい壁の１つによって画定され、第２縁部は、小さい壁ともう一方の大きい壁によって画定されている。
【０００７】
別の実施態様においてヒンジ線は、開口部が形成された小さい壁の対向する第３および第４縁部の間を延び、第３の縁部はこの小さい壁と２つの対向する小さい壁の内の１つによって画定され、第４の縁部はこの小さい壁と２つの対向する小さい壁のもう一方の壁によって画定されている。
【０００８】
さらに別の実施態様ではヒンジ線は、開口部が形成された小さい壁の第１および第３縁部の間を延び、第１縁部はこの小さい壁と大きい壁の内の１つによって画定され、第３の縁部は、この小さい壁ともう一方の小さい壁によって画定されている。
【０００９】
さらに別の実施態様においてヒンジ線は、小さい壁の内の１つと大きな壁の内の１つの間に形成された１つの角から、別の小さい壁ともう一方の大きな壁によって形成された反対の角へと延びている。
【００１０】
好ましくはヒンジ線は、蓋を蓋が開口部を閉じる位置に枢動させた際に蓋が第１の大きい壁から離れて第２の大きい壁の方へと延びるように構成されている。
【００１１】
本発明のパックは、蓋が開口部を覆う閉じた位置に蓋を保持するように構成された係止機構を含んで構成されているので都合がよい。
【００１２】
蓋はヒンジ式蓋の壁とその縁部から垂下した第２の蓋壁とを含んでもよく、第２の蓋壁は、蓋が閉じた位置にあるとき、大きい壁または小さい壁に形成された第２係止エレメントと係合する第１係止エレメントを含むので有利である。
【００１３】
好ましくは第１および第２係止エレメントは、それぞれ第２の蓋壁の内側の面と大きい壁または小さい壁の一方の外側の面にタブを含む。
【００１４】
本発明パックは、大きい壁または小さい壁の内の一方の内面に接して位置するフレームをさらに含んでもよく、蓋はヒンジ式蓋壁とその縁部から垂下した第２の蓋壁とを含み、第２の蓋壁は、蓋が閉じた位置にあるとき、フレームに形成された第２係止エレメントと係合する第１係止エレメントを含む。
【００１５】
第１および第２係止エレメントは、それぞれ第２の蓋壁の内側の面およびフレームの外側の面にタブを含むので都合がよい。
【００１６】
好ましくは少なくともタブの内の１つは、第２の蓋壁と小さい壁または大きい壁またはフレームと一体に形成されている。
【００１７】
蓋が取り付けられている小さい壁は、胴体の小さい頂壁であってもよい。この小さい頂壁は、それ以外の壁のいずれより小さくてもよく、あるいはこの小さい頂壁は、２つの小さい側壁および２つの大きい壁より小さくてもよい。
【００１８】
本発明のパックは、開口端部が形成された外方ハウジングをさらに含んでもよく、胴体は、外方ハウジング内に収容され、そして胴体が外方ハウジング内に実質的に収容され、蓋が開口部を覆う閉じた位置と胴体が少なくとも部分的に外方ハウジングの開口端部から延出し、開口部を露出させる開いた位置の間で外方ハウジング内を入れ子式にスライド可能に構成されている。
【００１９】
好ましくは蓋はヒンジ式蓋壁とその縁部から垂下した第２の蓋壁とを含み、第２の蓋壁は、蓋が閉じた位置にあるとき、外方ハウジングに形成された第２係止エレメントと係合する第１係止エレメントを含む。
【００２０】
第１および第２係止エレメントは、それぞれ第２の蓋壁の内側の面と外方ハウジング外側の面にタブを含むので都合がよい。
【００２１】
好ましくは本発明のパックは、ハウジングの内面に接して位置するフレームを含み、蓋はヒンジ式蓋壁とその縁部から垂下した第２の蓋壁とを含み、第２の蓋壁は、蓋が閉じた位置にあるとき、フレームに形成された第２係止エレメントと係合する第１係止エレメントを含む。
【００２２】
第１および第２係止エレメントは、第２の蓋壁の内側の面とフレームの外側の面それぞれにタブを含んでもよい。
【００２３】
ある実施態様において少なくともタブの内の１つが、第２の蓋壁およびハウジングまたはフレームと一体に形成されている。
【００２４】
好ましくは本発明パックは、胴体を外方ハウジングに対してスライド方向に付勢するように構成された付勢エレメントを含む。
【００２５】
ある実施態様では開口部は、２つの小さい壁を横断して延び、蓋が閉じた位置にあるとき、ヒンジ式蓋壁と第２の蓋壁はこの開口部を覆う。
【００２６】
別の実施態様では開口部は、２つの小さい壁と大きい壁を横断して延び、蓋は、蓋が閉じた位置にあるとき、開口部を覆うように第３の壁を含む。
【００２７】
別の実施態様では胴体の開口部は、小さい頂部壁と小さい側壁の１つの少なくとも一部を横断して延び、蓋は開口部が形成された小さい側壁に取り付けられ、本発明のパックは、さらに内方ケーシングを含み、内方ケーシングは、胴体に収容され、そして内方ケーシングが実質的に胴体に収容され、蓋が開口部を少なくとも部分的に覆う閉じた位置と内方ケーシングの少なくとも一部が胴体の小さい頂部壁の開口部から延出し、蓋が開口部から離れて延びた開いた位置の間で胴体内を入れ子式にスライド可能に構成されている。
【００２８】
本発明の別の態様では喫煙品用パックが提供され、このパックは、２つの対向する大きい壁の間を延びたこれより小さい２つの側壁、底壁および開口頂端部を有する外方ハウジングと、一束の喫煙品を収容するように構成された内方ケーシングとを含み、この内方ケーシングは、内方ケーシングの少なくとも一部が外方ハウジングの開口端から延出し、内方ケーシングに収容された喫煙品に触れることができるようにする開いた位置と内方ケーシングが開いた位置より外方ハウジング内に格納された閉じた位置の間で外方ハウジング内を入れ子式にスライド可能であり、このパックは、さらにヒンジ式蓋を含み、この蓋は、その少なくとも一部が開口頂端部を覆う閉じた位置とそれがこの開口頂端部から離れるように延びた開いた位置との間で枢動可能であり、このヒンジ式蓋は、大きな壁に直交する角度で形成されたヒンジ線に沿って外方ハウジングの小さい側壁の１つに接続されている。
【００２９】
本発明のパックは、外方ハウジングに対するスライド方向に内方ケーシングを付勢するように構成された付勢エレメントを含んでもよい。
【００３０】
本発明の好ましい実施態様を添付図面を参照し、あくまで例示を目的として説明する。
【図面の簡単な説明】
【００３１】
【図１】本発明によるパックの実施態様の斜視図である。
【図２】開いた状態の図１のパックの斜視図である。
【図３】図１および２に示したパックの断面側面図である。
【図４Ａ】閉じた状態の図１〜３に締めしたパックの断面正面図である。
【図４Ｂ】開いた状態の図３〜４Ａに示したパックの断面正面図である。
【図５】本発明によるパックの別の実施態様の斜視図である。
【図６】本発明によるパックのさらに別の実施態様の斜視図である。
【図７】本発明によるパックの別の実施態様の斜視図である。
【図８】開いた状態の図６のパックの斜視図である。
【図９】本発明のさらに別の実施態様の斜視図である。
【発明を実施するための形態】
【００３２】
図１〜４Ｂを参照すると本発明の第１の実施態様によるパック１が示されており、これは外方ハウジング２と、外方ハウジングに内に入れ子式に収容され、ヒンジ式蓋４を有する内方ケーシング３（胴体とも言う）とを含む。スプリングエレメント５が外方ハウジング２内に設けられており、外方ハウジング２から開いた位置へと内方ケーシング３を付勢するように構成されている。（図３〜４Ｂにおいて外方ハウジング２と内方ケーシング３の間の隙間は、パック１の内部の特徴を判りやすく示すために誇張されており、パックの実際の寸法を表すものではない）。
【００３３】
外方ハウジングは、前壁６、側壁７、８、後壁９および底壁１０を含む。外方ハウジング２はその頂端部に開口部が形成され、よって頂壁を含まない。さらに側壁８の１つおよび前壁６の上部は、切り取られており、これにより開口部は、前壁および側壁にも延びている。側壁８と前壁６の開口部は、上記側壁８と前壁６に形成された上縁部２０ａ、２０ｂによって画定されている。これら上縁部２０ａ、２０ｂは、蓋４の対応する下方縁部と当接し、以下に説明する閉鎖線を形成する。側壁８の上縁部２０ａは、側壁８と底壁１０によって形成された対向縁部２１に平行である。前壁６の上縁部２０ｂは、側壁８の上縁部２０ａから前壁６と底壁１０によって形成された縁部に平行な方向に沿って続き、それから上縁部２０ｂは、パック１の頂端部の方に上方に湾曲し、最終的に前壁６と底壁１０によって形成された縁部に平行な方向に沿ってもう一方の側壁７の方に上方に続いている。
【００３４】
内方ケーシング３は、前壁１１、側壁１２、１３、後壁１４、底壁１５ａおよび頂壁１５ｂを含む。頂壁１５ｂ、側壁１２の内の１つおよび前壁には、内方ケーシング３に収容された喫煙品（図示せず）に触れ、取り出すための開口部１６が形成されている。内方ケーシング３の側壁１２、１３は、パック全体の頂壁または内方ケーシングの底壁より大きい。ヒンジ式蓋４が内方ケーシング３の頂壁１５ｂと一体に形成されており、折り曲げられたヒンジ線１７に沿って頂壁１５ｂにいる枢動可能に取り付けられている。
【００３５】
蓋４の頂壁２２と頂壁１５ｂの間のヒンジ線１７は、内方ケーシング３の前壁１１、後壁１４に対して、特に内方ケーシング３の頂壁１５ｂと前壁１１によって形成された縁部と頂壁１５ｂと後壁１４によって形成された縁部に対して斜めの角度で内方ケーシングの頂端部を横断して延びている。
【００３６】
ヒンジ式蓋４は、前壁１８、側壁１９および頂壁２２を含む。前壁１８および側壁１９は、外方ハウジング２の切り取られた上部に対応し、従ってそれぞれ外方ハウジングの上縁部２０ａ、２０ｂに対応する下縁部２４ａ、２４ｂが形成され、図２に最も解りやすく示している閉鎖線を形成している。従って、側壁１９、８の閉鎖線は、蓋４の側壁１９と頂壁２２によって形成された縁部と平行であり、前壁６、１８の閉鎖線は、直線状のセクション２５ａと湾曲したセクション２５ｂを含む。直線状のセクション２５ａは、側壁１９、８の閉鎖線から続き、蓋４の前壁１８と頂壁２２によって形成された縁部に平行である。閉鎖線の湾曲したセクション２５ｂは、直線状のセクション２５ａと蓋４の頂壁２２の間を延びている。
【００３７】
内方フラップ２３が閉鎖線の直線状のセクション２５ａを形成する前壁の下方縁部２４ｂの部分から延びている。内方フラップ２３は、前壁１８の内側に折りたたまれ、これに糊付けされてもよい。内方フラップ２３は、蓋の前壁１８の最も長い部分より短く、蓋の内側で蓋の頂壁２２まで到達せず、これにより蓋前壁１８の内側に段が設けられた唇部を形成している。図示していないが、内方フラップ２３は、蓋前壁の内側に段が設けられた唇部を形成する切り抜き／凹部を含んでもよい。
【００３８】
さらにパック１には外方ハウジング２の前壁６と２つの側壁７、８の対応する内面にのり付けされる前壁５１および２つの側壁５２、５３を含むフレーム５０が設けられている。フレーム５０の前壁５１は、係止タブ２６を含み、これは前壁と一体に形成され、フレームの前壁５１並びに外方ハウジング２の前壁６から弾性的に離れるように下方へと延びるように折り曲げられている。
【００３９】
スプリングエレメント５は、ひだ付きまたは「蛇腹」構造になるように繰り返し折りたたまれたカードからなるセクションを含む。スプリングエレメント５の第１端部２８は、外方ハウジング２の底壁１０の内面と当接し、スプリングエレメント５の第２の対向端部は、内方ケーシング３の底壁１５ａの外面と当接する。
【００４０】
パックは、端部停止機構を含み、これは内方ケーシング３が外方ハウジング２からスライドして完全に外れるのを防ぎ、内方ケーシング３が所定の最大延伸位置へと外方ハウジング２からスライドできる範囲を制限する。端部停止機構は、第１の対の停止タブ３０を含み、外方ハウジング２の側壁７、８の各内面に１つずつタブを有し、さらに対応する第２の対の停止タブ３１を含み、内方ケーシング３の側壁１２、１３の各外面に１つずつタブを有する。第１の対の停止タブ３０は、外方ハウジング２の上端部近傍に位置し、第２の対の停止タブ３１は、内方ケーシング３の底端部に位置している。図４ａおよび４ｂから解るように、切り取られた上方部分を有する側壁７の停止タブ３０は、対向する側壁８の停止タブ３０より短く、これにより停止部分３０の端面３０ａが水平面で同じ高さになる。
【００４１】
本発明の第１の実施態様のパック１の操作について説明する。パック１は、最初は蓋４が閉じられ、内方ケーシング３の取り出し開口部１６を覆う図１に示すような閉じた状態にある。図３に示すようにこの位置において、スプリングエレメント５は、外方ハウジング２の底壁１０と内方ケーシング３の底壁１５ａの間で圧縮されている。蓋４は、蓋４の前壁１８の内側に内方フラップ２３に形成された段が設けられた唇部と係合し、引っかかる係止タブ２６によって閉じた状態に保持される。係止タブ２６がフレーム５０の前壁５１および外方ハウジング２の前壁６から離れるように弾性的に付勢されるので、蓋４が係止タブ２６に接してヒンジ式に閉じられ、係止タブ２６をフレーム５０の前壁の方に内方へと撓ませると、係止タブ２６は、それ自体を蓋４の段が設けられた唇部と接して位置させる。これにより係止機構は、パック１をスプリングエレメント５の付勢力に抗して閉じた位置に保持する.
【００４２】
ユーザーがパック１から喫煙品を取り出したいと思ったら、ヒンジ式蓋４を枢動式に開き、これにより蓋４の段が設けられた唇部から係止タブ２６が外れる。蓋が閉じた位置から開いた位置へと枢動すると、蓋は前壁６から外方ハウジング２の後壁９方へと角度を付けて枢動する。さらに開いた位置において、蓋４は外方ハウジング２および内方ケーシング３からずれる。特に蓋４の頂壁２２の縁部は、外方ハウジング２および内方ケーシング３の縁部に対して斜めに角度が付けられる。
【００４３】
係止タブ２６が蓋４の段が設けられた唇部から外れると、内方ケーシング３は図４ｂの矢印「Ａ」で示す開く方向に自由に移動し、スプリングエレメント５が圧縮された状態から広がるとスプリングエレメント５の付勢力によって外方ハウジング２から入れ子式にスライドする。
【００４４】
内方ケーシング３は、図４ｂに示すように内方ケーシング３の停止タブ３１が外方ハウジング２の停止タブ３０に当接するまで外方ハウジング２の外に自由に延び続ける。これにより内方ケーシング３は、外方ハウジング２に対して所定の完全に延びた開いた位置に保持される。それからユーザーは、取り出し開口部１６を介して内方ケーシング内から喫煙品を取り出してもよい。
【００４５】
パック１を閉じるためには上記の工程を逆に行う。内方ケーシング３は、スプリングエレメント５の付勢力に抗して図４ｂの矢印「Ｂ」で示す閉じる方向に外方ハウジング２内に押し込まれ、これによりスプリングエレメント５は、外方ハウジング２の底壁１０と内方ケーシング３の底壁１５ａとの間で圧縮される。内方ケーシング３が外方ハウジング２内で完全に格納された位置に位置すると、蓋４は、蓋を閉じるために後壁９から前壁６の方に角度を付けて枢動され、これにより係止タブ２６は、蓋４の段が設けられた唇部と係合し、パック１が閉じた位置で再度保持される。
【００４６】
図１〜４Ｂに示し、上述した実施態様において、外方ハウジング２の停止タブ３０は、外方ハウジング２の側壁７、８と一体に形成され、外方ハウジング２の内側に来るように折りたたまれ、それらの折り曲げ線がそれぞれ側壁７、８の上縁部を形成する。しかしながら、代わりに外方ハウジング２および／または内方ケーシング３の停止タブ３０/３１を外方ハウジングの内側に接着された別個のエレメントとすることも本発明の範囲内である。
【００４７】
上述の実施態様は、パックの側壁にある端部停止機構の停止タブを含むが、停止タブを側壁の代わりにまたは側壁と共にパックの前壁および／または後壁に同じように形成することも本発明の範囲内で可能である。
【００４８】
外方ハウジング２の前壁６にある係止タブ２６が必ずしもフレームの上縁部から延びた折り曲げられたタブとして形成される必要がないことも本発明の範囲内で意図される。本発明の別の実施態様では、係止タブ２６’がフレーム５０の前壁５１の上縁部から離れて位置してもよく、例えば、図５に示すようにフレーム５０の前壁５１から型抜きしてもよい。この別の実施態様では残りの同じような特徴には同じ参照番号を付してある。
【００４９】
フレーム５０の係止タブ２６と係合する蓋４の部分が、必ずしも段が設けられた唇部を画定する内方フラップ２３の離れた縁部である必要がないことも本発明の範囲内で意図している。代わりに例えば、内方フラップ２３は、当接縁部を画定する切り抜き部分または凹部（図示せず）を含んで、内方フラップ２３の離れた縁部から離れて位置するフレーム５０の係止タブ２６と係合させてもよい。
【００５０】
係止タブ２６および対応する蓋４の内方フラップ２３によって形成された段が設けられた唇部は、上述の実施態様のパック１のフレーム５０の前壁５１および蓋４の前壁１８の内側にそれぞれ設けられている。しかしながら、係止タブをフレーム５０の側壁５２に設けることも、そして蓋４がその側壁１９の内側に対応する内方フラップを含み、これが上述の前壁の内方フラップ２３と同じように段が設けられた唇部を供する、または切り欠きまたは凹部を含んでフレーム５０の側部係止タブと係合し、引っかかるようにして蓋４を閉じた状態にそしてパック１を閉じた位置に保持するようにすることも本発明の範囲内である。このような側部係止タブおよび蓋の段が設けられた唇部をフレーム５０および蓋４の前壁の係止タブ２６および段が設けられた唇部の代わりに設けてもよく、あるいはフレーム５０および蓋４の前壁の係止タブ２６および段が設けられた唇部に加えて設けてもよい。さらに上述の実施態様は、フレーム５０の外方に延びた係止タブおよび蓋４の糊付けされた段が設けられた唇部を含むが、これを逆にして、蓋４が外方に延びた弾性係止タブを含み、フレーム５０は、この係止タブを受けるための段が設けられた唇部または凹部を含んでもよい。
【００５１】
フレーム５０は、蓋の下方縁部２４ａ、２４ｂがハウジング２の上縁部２０ａ、２０ｂと当接し、これにより閉鎖線を形成するように蓋４がフレーム５０に固定されるように構成されているのでパックの外面を比較的面一の仕上がり面とすることができる。別の実施態様ではパックはフレーム無しで形成される。この実施態様では残りの同様の特徴を有するものには同じ参照符号を付してある。ハウジングにはフレームを参照して上述したようにその前壁６または側壁８に係止タブが形成される。例えば、係止タブをハウジング２の前壁６の上縁部２０ｂの直線状の部分に形成してもよい。これとは別に係止タブを外方ハウジングの側壁８の上縁部２０ａに形成してもよく、この場合内方フラップによって形成された段が設けられた唇部が蓋４の側壁１９に設けられる。さらに別の本発明の実施態様では係止タブは、外方ハウジング２の前壁６または側壁８の上縁部２０ａ、２０ｂから離れて位置してもよく、例えば前壁６または側壁８を型抜きして形成してもよい。
【００５２】
上記実施態様は、頂壁にヒンジ式に取り付けられた蓋を有するとして説明したが、当然のことながらヒンジ式蓋を内方ケーシングの側壁に設けることも本発明の範囲内である。この実施態様においてパックは、図１〜５を参照して説明したパックと同じように構成されているが、パックを内方ケーシング３の頂壁１５ｂが側壁となるように見なされ、外方ハウジング２の頂端部の開口部が側部開口部と見なされるように回転させる。従って、この実施態様では内方ケーシングは、外方ハウジングの側部開口部からスライドして出るように構成され、スプリングエレメントまたはこれとは別の付勢エレメントが外方ハウジングの側部開口部と反対の外方ハウジングと内方ケーシングの間に配される。
【００５３】
さらに開口部が３つの壁を横断して延びていないパックも本発明の範囲内である。例えば、内方ケーシング３に形成された開口部は、内方ケーシングの頂壁の一部のみを横断して延びてもよい。この実施態様において蓋は、内方ケーシングの前壁および後壁に対して斜めの角度に沿って内方ケーシングの頂壁にヒンジ式に取り付けられた頂壁を含む。さらに蓋は、前壁および／または側壁を含み、そのいずれかの内面に段が設けられた唇部が設けられ、これはフレームまたは外方ハウジングの前壁または側壁に形成された対応するタブと係合するように構成される。
【００５４】
また本発明の範囲は、側壁のみに形成された開口部を有する内方ケーシングを含むことを意図している。この実施態様は、開口部が内方ケーシングの頂壁の一部のみを横断して延びる蓋を有する上述の実施態様と類似している。しかしながら、この実施態様ではパックを内方ケーシングの頂壁を側壁と見なし、外方ハウジングの頂端部の開口部を側部開口部と見なすように回転させている。従ってこの実施態様において、開口部が内方ケーシングの側壁の１つのみに形成される。さらに内方ケーシングは、外方ハウジングの側部開口部から出るようにスライドするように構成され、スプリングエレメントまたはこれとは別の付勢エレメントが外方ハウジングの側部開口部と反対の外方ハウジングと内方ケーシングの間に配される。
【００５５】
別の実施態様において開口部は、頂壁の一部および内方ケーシングの側壁または前壁いずれかの一部を横断して延びる。蓋は、蓋が少なくとも開口部を覆うように頂壁および側壁および／または前壁を含む。またこの実施態様では蓋の頂壁は、内方ケーシングの前壁および後壁に対して斜めのヒンジ線に沿って内方ケーシングの頂壁にヒンジ式に取り付けられる。当然のことながらこの実施態様のパックは、内方ケーシングの頂壁を側壁と見なし、開外方ハウジングの頂端部の口部を側部開口部と見なせるように回転させている。従ってこの実施態様では開口部が内方ケーシングの側壁および頂壁および／または前壁に形成される。さらに内方ケーシングは、外方ハウジングの側部開口部からスライドして出るように構成され、スプリングエレメントまたはこれとは別の付勢エレメントが外方ハウジングの側部開口部と反対の外方ハウジングと内方ケーシングの間に配される。
【００５６】
上述の実施態様は、内方ケーシングの前壁および後壁の間を斜めに延びたヒンジ線を含むと説明し、より具体的には斜めのヒンジ線が頂壁の第１および第２縁部の間を延びると説明し、第１および第２縁部がそれぞれ頂壁および前壁または後壁のいずれかによって画定されている。
【００５７】
別の実施態様ではヒンジ線が頂壁および前壁によって画定された第１縁部から後壁および側壁によって画定された頂壁の角へと延びる。この構成によって蓋に大きな強度を与えられる。また第３および第４縁部の間を延びた斜めのヒンジ線も本発明の範囲内であり、第３および第４縁部は、それぞれ頂壁およびいずれかの側壁によって画定される。この実施態様ではヒンジ線は、第１、第２、第３および第４縁部に対してさらに内方ケーシングの前壁および後壁の面に対して傾斜している。これとは別にヒンジ線は、パックの頂壁を斜めに横切るように延びて、ヒンジ線が壁の１つと後壁によって形成された１つの角から反対の側壁と前壁によって形成された反対の角へと延びるようにしてもよい。またこの実施態様ではヒンジ線は、第１、第２、第３および第４縁部に対してそして内方ケーシングの前壁および後壁の面に対して斜めになる。またさらにこれとは別の実施態様では、ヒンジ線は第１または第２縁部と第３または第４縁部の間を斜めに延びてもよく、例えば、ヒンジ線は、第１および第３の縁部の間を延びてもよく、これとは別に第２または第３の縁部の間を延びてもよい。ヒンジ線は内方ケーシングの頂壁で異なる構成を有するとして説明してきたが、当然のことながら異なる構成の斜めのヒンジ線を内方ケーシングの側壁を含む上述の実施態様のいずれにも適用することができる。
【００５８】
また別の例示していない実施態様ではパックは、図１から５を参照して説明した実施態様と同じように構成されるが、この実施態様では異なる構成の外方ハウジングを有する。このパックは、上述の実施態様のいずれかに関して述べた特徴をいずれも任意で含んでもよく、従ってここではその詳細な説明は省略する。
【００５９】
この実施態様では外方ハウジングは、図１〜５を参照して説明した外方ハウジングと同じように構成されているが、前壁および側壁は二層を形成する内層および外層を含む。側壁の１つの上方部分および外層の前壁は切り抜かれており、これにより蓋を開けたとき、内層の一部を露出させる。外層には図１〜５を参照して説明した外方ハウジングの側壁８および前壁６の上縁部２０ａ、２０ｂと類似した上縁部が形成されている。本実施態様による外層の上縁部は、対応する蓋の下方縁部と当接し、閉鎖線を形成する。
【００６０】
蓋を開けた際に露出する前壁の内層の部分には係止タブが形成されている。係止タブは、図１〜５を参照して説明したフレームに形成された係止タブと類似しており、この係止タブは、内層と一体に形成してもよく、フレームの前壁並びに外方ハウジングの前壁から弾性的に離れるように下方に延びるように折り曲げられる。当然のことながらこれとは別に係止タブを蓋を開けた際に露出する側壁の部分に形成してもよく、または係止タブを図１から５に示した実施態様のフレームに関連して説明した別の構成のいずれかに形成してもよい。
【００６１】
蓋は図１〜５を参照して説明した蓋と同じように構成される。蓋４は前壁、側壁および頂壁を含む。前壁と側壁は、外方ハウジングの外層の切り取られた上方部分に対応する。前壁および側壁には、それぞれ閉鎖線を形成するために外方ハウジングの外層の上縁部に対応する下方縁部が形成されている。蓋は内方ケーシングの頂端部から内方ケーシングの前壁および後壁に対して、より具体的には頂壁および前壁によって形成された縁部および内方ケーシングの頂壁および後壁によって形成された縁部に対して斜めの角度が付けられたヒンジ線に沿って延びている。
【００６２】
蓋を閉じた際に、その側壁と前壁は切り取られた部分が形成された外方ハウジングの外層の前壁および側壁と面一になるように位置する。
【００６３】
パック１００の別の実施態様を図６を参照して説明する。パック１００は、図１〜５を参照して説明した実施態様と同じように構成されているが、ヒンジ式蓋が外方ハウジングに取り付けられているという点で異なる。パック１００は、上述の実施態様について述べたあらゆる特徴を任意に含んでもよく、従ってここではそれらの詳細な説明は省略し、図１〜５に示したパックの構成部材と実質的に同じパック１００の部材には同じ参照番号を付してある。
【００６４】
この実施態様においてパック１００は、外方ハウジング２にヒンジ式に取り付けられた蓋４を含む。蓋４は外方ハウジング２に形成された開口部を部分的に閉じる。外方ハウジング２の開口部は、開口頂端部と側壁８の１つと前壁６の切り取られた上方部分を含む。蓋４は側壁８にヒンジ式に取り付けられ、外方ハウジング２の前壁および後壁６、９に対して斜めの角度で延びたヒンジ線１７に沿って切り取られた上方部分を有する。
【００６５】
蓋４は前壁１８、側壁１９および頂壁２２を含む。蓋の前壁１８と側壁１９は、外方ハウジング２の側壁８および前壁６から切り取られた上方部分と対応する。しかしながら、蓋の頂壁２２は、外方ハウジング２の開口頂端部の一部のみを横断して延びる。
【００６６】
内方ケーシング３は、外方ハウジング２内に入れ子式に収容され、蓋が開いた位置にあるときに外方ハウジング２の開口頂端部からスライドして出るように構成されている。内方ケーシング２は、喫煙品に触れることができるようにする開口部を含む。この開口部は、蓋が閉じた位置にあるときヒンジ式蓋および／または外方ハウジング２によって覆われる。スプリングエレメント５またはこれとは別の付勢エレメントが外方ハウジングの底壁１０に配される。
【００６７】
ヒンジ式蓋４が閉じた位置にあるとき、スプリングエレメント５は外方ハウジング２の底壁１０と内方ケーシング３の底部壁１５との間で圧縮される。閉じられたヒンジ式蓋４は、外方ハウジング２２の開口頂端部の一部を横断して延びた蓋の頂壁２２および内方ケーシングの頂壁１５ｂによって生じるスプリングエレメントの力に抗して内方ケーシング３を外方ハウジング内に保持する。
【００６８】
パックを開くために蓋をヒンジ線１７を中心に回転させることによって、開いた位置へと移動させる。蓋が開けられると、スプリングエレメント５の付勢力が外方ハウジング２の開口頂端部から内方ケーシング３を押し出す。
【００６９】
ヒンジ式蓋４は、その閉じた状態に充分留まるように構成されているが、ヒンジ式蓋４の頂壁に図１〜５を参照して説明した係止機構と同じように内方ケーシング３の頂壁に形成されたタブと係合するタブを形成してヒンジ式蓋４が間違って開かないようにしてもよい。
【００７０】
ヒンジ線１７は必ずしも外方ハウジング２の前壁６および後壁９に対して斜めに角度が付けられる必要はないことが想定され、これとは別にヒンジ線１７は、前壁６および後壁９に対して直交してもよい。
【００７１】
また本発明の範囲は、図１〜５を参照して説明したようなひだ付きまたは「蛇腹」構造を含むスプリングエレメントに限定されないということが想定される。これとは別にスプリングエレメントを圧縮可能な弾性発泡体材料のブロック、または好ましくはＰＥＴなどのプラスチックからなる弾性条片を含む付勢部材に置き換えることも可能である。
【００７２】
異なる構成の実施態様を図７および８参照して説明し、ここでは開口部６３が形成された胴体６１と、この開口部６３を開閉するための蓋６２と、胴体６１に収容されるフレーム６４とを含むパック６０が示されている。
【００７３】
胴体６１は、前壁６５、側壁６７、６８、後壁６９、頂壁６６および底壁（図示せず）を含む。胴体６１の側壁６７、６８は、パック全体の頂壁および胴体の底壁より大きい。開口部６３は、頂壁６６、１つの側壁６７および前壁６５を含むパック６０の頂端部に形成され、これにより開口部６３がパック６０の角に形成される。側壁６７と前壁６５にはそれぞれ上縁部７２、７４が形成され、これらは開口部６３の一部を画定し、蓋６２の下方縁部と当接し、以下に説明する閉鎖線を形成する。側壁６７の上縁部７２は、側壁６７と底壁によって形成された対向する縁部７３に平行である。前壁６５の上縁部７４は、側壁６７の上縁部７２から前壁６５の縁部および底壁に平行な方向に沿って前壁の一部を横断して延び、胴体６１の頂壁６６の方へと上方に湾曲している。
【００７４】
ヒンジ式蓋６２は、前壁７５、側壁７６および頂壁７７を含む。前壁７５と側壁７６にはそれぞれ胴体６１の側壁６７と前壁６５の上縁部７２、７４に対応し、当接する下方縁部７８、７９が形成されており、これによりパック６０の閉鎖線を形成している。従って、パック６０の側壁６７、７６の閉鎖線は、蓋６２の側壁７６および頂壁７７によって形成された縁部と平行であり、パック６０の前方の閉鎖線は、直線状のセクション７９ａと湾曲したセクション７９ｂを含む。直線状のセクション７９ａは、側壁６７、７６の閉鎖線から延び、蓋６２の前壁７５と頂壁７７によって形成された縁部に平行である。閉鎖線の湾曲したセクション７９ｂは、直線状のセクション７９ａと蓋６２の頂壁７７の間を延びている。
【００７５】
ヒンジ式蓋６２が胴体６１の頂壁６６と一体に形成されており、６６折り曲げられたヒンジ線８０に沿って頂壁に枢動可能に取り付けられている。ヒンジ線８０は、パック６０の頂壁を横断して、前壁および後壁、より具体的には胴体の頂壁６６と胴体の前壁６５によって形成された縁部および胴体の頂壁６６と胴体の後壁６９によって形成された縁部に対して斜めの角度で延びている。
【００７６】
内方フラップ（図示せず）が、閉鎖線の直線状のセクション７９ａを形成する蓋６２の前壁の下方縁部７９の部分から延びている。内方フラップは、蓋６２の前壁７５の内側へと折りたたまれ、これに糊付けされてもよい。内方フラップは、蓋の前壁７５の最も高いところより短く、従って蓋の内側の蓋の頂壁７７に到達せず、これにより蓋の前壁７５の内側に段が設けられた唇部を形成する。図示していないが、内方フラップは蓋前壁の内側に段が設けられた唇部を形成する切り抜き／凹んだ部分を含んでもよい。
【００７７】
さらにパック６０にはフレーム６４が設けられ、これは係止タブ８５を供し、パックにさらなる安定性を付与する。フレームは、前壁８２と２つの側壁８３、８４を含み、これらは胴体の前壁６５と側壁６７、６８の対応する内面にのり付けされる。係止タブ８５は、フレーム６４の前壁８２と一体に形成され、下方へと延び、フレーム６４の前壁８２並びに胴体６１の前壁６５から弾性的に離れるように折り曲げられている。
【００７８】
図７および８に示したパック６０の操作を説明する。パック６０は、最初は蓋が閉じられ、内方ケーシング３の取り出し開口部６３を覆う図７に示すような閉じた状態にある。蓋６２は、パックが上向きに保持される限り、閉じた状態に保持される。パックの向きに関係なく蓋を確実に閉じた状態にするために、蓋６２が蓋６２の前壁７５の内側の内方フラップによって形成された段が設けられた唇部と係合し、引っかかる係止タブ８５によって閉じた位置に固定される。係止タブ８５がフレーム６４の前壁８２並びに胴体６１の前壁６５から離れるように弾性的に付勢されるので、蓋６２が係止タブ８５に対してヒンジ式に閉じられ、フレーム６４の前壁７５の方に内方へと係止タブ８５を撓ませると、係止タブ自体を蓋６２の段が設けられた唇部に接して位置させる。これにより係止機構は、パック６０を閉じた位置に保持し、パック６０が偶然開くことを妨げる。
【００７９】
ユーザーがパック６０から喫煙品を取り出したいときは、ヒンジ式蓋６２を斜めのヒンジ線８０を中心に枢動させて開き、開口部６３を露出させる。ユーザーが蓋６２を引っ張ると、係止タブ８５が蓋６２の段が設けられた唇部から外れ、蓋をヒンジ線８０を中心に前壁から後壁の方に前壁および後壁に対して角度を付けて回転することができる。開いた状態において、蓋６２はパックの胴体からずれる。特に蓋６２の頂壁７７の縁部は、胴体６１の縁部に対して斜めになる。
【００８０】
これとは別の例示していない実施態様では係止機構はパックの側壁に形成される。例えば、内方フラップは蓋６２の側壁７６に形成してもよく、対応する係止タブ８５をフレーム８３の側壁に設けてもよい。さらに係止タブは必ずしも上述したように前壁８２の上縁部またはフレーム６４の側壁８３から延びる必要はない。これとは別に係止タブは、前壁８２の上縁部またはフレーム６４の側壁８３から離れて位置してもよく、例えば、フレーム６４の前壁８２または側壁８３から型抜きしてもよい。
【００８１】
さらに当然のことながら、内方フラップによって形成された段が設けられた唇部が胴体に設けられ、胴体および蓋にタブが形成されるように係止機構を逆に設けてもよい。
【００８２】
フレームは、パックが閉じられると、蓋がフレームに固定され、胴体の上縁部が蓋の下縁部を当接するので、パックの外面を面一の仕上がり面とすることができる。しかしながら、当然のことながら係止タブをこれとは別に胴体６１の前壁６５または側壁６７に形成することができるので、フレームは選択的な特徴である。係止タブが胴体の側壁６７に形成される実施態様では内方フラップが蓋６２の側壁７６の内面に設けられる。さらに係止タブは、必ずしも胴体６１の前壁６５または側壁６７の上縁部から延びる必要はない。これとは別に係止タブは、胴体６１の前壁６５または側壁６７の上縁部から離れて位置してもよく、例えばフレーム６４の前壁８２または側壁８３から打ち抜いてもよい。
【００８３】
蓋はパックの頂端部に設けられると説明したが、当然のことながら蓋を図９に示すように側壁６７に形成することができる。この実施態様において同様の残りの特徴には同じ参照符号を付してある。ヒンジ線８０は、胴体６１の前壁および後壁に対して斜めに角度が付けられて形成されており、蓋６２の側壁７６は、図９に示すように斜めのヒンジ線８０を介して胴体６１の側壁６７ヒンジ式に取り付けられている。
【００８４】
ヒンジ式蓋付きパックに関する上記実施態様は、開いたときに胴体の頂壁、側壁および前壁の少なくとも一部を横切って延びた開口部内に触れることができるようにする蓋を含むとして説明したが、開口部が頂壁の一部のみを横断して延びてよいことも想定される。この実施態様において、蓋は頂壁および側壁または前壁のいずれか、または側壁および前壁の両方を含む。蓋の頂壁は、胴体の前壁および後壁に対して斜めのヒンジ線に沿ってヒンジ式に胴体の頂壁取り付けられる。前壁または側壁には折り曲げられた内方フラップによって形成された段が設けられた唇部が設けられ、これはフレームまたは胴体の対応する前壁または側壁に形成されタブと係合する。
【００８５】
別の実施態様では開口部は、パックの胴体の側壁のみに形成され、蓋は、開口部が形成された側壁に斜めのヒンジ線に沿ってヒンジ式に取り付けられた対応する側壁を含む。さらに蓋は、折り曲げられたフラップによって形成された段が設けられた唇部が設けられた頂壁または前壁などの第２の壁を含み、この唇部はフレームまたはハウジングの対応する壁に設けられたタブと係合するように構成される。これとは別に蓋に第３の壁が形成される。
【００８６】
また開口部が胴体の頂壁および前壁または側壁のいずれかに形成されたパックの胴体を本発明の範囲が含むことを意図している。この実施態様において、蓋は頂壁および側壁または前壁のいずれかまたは頂壁および側壁と前壁の両方を含み、開口部を覆う。蓋の頂壁は頂壁胴体の前壁および後壁に対して斜めのヒンジ線に沿ってヒンジ式に取り付けられる。前壁または側壁には折り曲げられた内方フラップによって形成された段が設けられた唇部が設けられており、これはフレームまたは胴体の対応する前壁または側壁に形成されたタブと係合する。これとは別に開口部は、胴体の側壁および頂壁または前壁などの第２の壁に形成される。この実施態様において蓋は、胴体の前壁および後壁に対して斜めに形成されたヒンジ線に沿ってパックの側部にヒンジ式に取り付けられた対応する側部を含む。さらに蓋は、開口部を覆うために少なくとも頂壁または前壁などの第２の壁を含む。この第２の壁には折り曲げられたフラップによって形成された段が設けられた唇部が形成され、これはフレームまたはハウジングの対応する壁に設けられたタブと係合するように構成されている。これとは別に蓋には第３の壁が形成される。
【００８７】
図７〜９を参照して説明した上記実施態様並びにそれに関連する実施態様は、胴体の前壁および後壁の間を延びる斜めのヒンジ線、より具体的には頂壁の第１および第２縁部の間を延びる斜めのヒンジ線を含み、第１および第２縁部は、それぞれ頂壁および前壁または後壁のいずれかによって画定されている。別の実施態様ではヒンジ線は、頂壁および前壁によって画定された第１縁部から後壁および側壁によって画定された頂壁の角へと延びる。この構造は、蓋により大きな強度を供する。また第３および第４の縁部の間を延びる斜めのヒンジ線も本発明の範囲内に入り、第３および第４縁部は、それぞれ頂壁および一方の側壁によって画定される。この実施態様ではヒンジ線は、内方ケーシングの前壁および後壁の面に斜めである。これとは別にヒンジ線は、ヒンジ線が側壁の１つと後壁によって形成された１つの角からもう一方の側壁と前壁によって形成された反対の角へと延びるようにパックの頂壁を横切って斜めに延びてもよい。またこの実施態様ではヒンジ線は胴体の前壁および後壁の面に対して斜めになる。さらに別の実施態様において、ヒンジ線は第１縁部または第２縁部と第３または第４の縁部の間を斜めに延びてもよく、例えばヒンジ線は、第１縁部および第３縁部あるいはこれとは別に第２または第３の縁部の間を延びてもよい。
【００８８】
ヒンジ線を胴体の頂壁に関連づけて説明したが、当然のことながら異なる構成の斜めのヒンジ線を上述の実施態様に加えることが可能である。
【００８９】
本発明のいくつかの実施態様を説明してきたが、上述の説明は、好ましい実施態様の説明に過ぎず、添付の特許請求の範囲に入る他の実施態様も本明細書の開示の一部を形成するものであることを当業者であれば理解するはずである。
【００９０】
種々の問題に対処し本技術を促進するため、本開示の全体は種々の実施形態を一例として示す。その実施形態の中で特許請求の範囲に記載の発明が実践され、優れた喫煙品用パックが提供される。本開示の利点および特徴は、単に実施形態の代表的事例であって全てを包括する事例ではなく、これ以外を排除する事例でもない。これらは単に特許請求された特徴の理解を助け、教示するために提示されているに過ぎない。当然のことだが、これらは全ての特許請求された発明を表していない。よって、本開示の特定の態様は、本明細書中で説明されていない。別の態様が本発明の特定の部分のために存在するものではないということ、またはさらなる説明されていない別の態様が一部において利用可能であるということは、これらの別の態様を放棄すると考えるものではない。また当然のことだが、これら説明していない態様の多くは、本発明の同じ原理を包含し、それ以外のものは本発明と同等である。従って、その他の態様も利用可能であり、本開示の範囲・概念から逸脱することなく他の実施形態を利用し改変することができる。従って全ての例、実施例および／または実施態様は、本開示を通して限定的なものではないと見なされる。また記載が長くならないようにまた繰り返しを避けるという目的以外でここで説明しなかった実施態様に対してここで説明したこれらの実施態様に関しての推論をするべきではない。種々の実施形態は、開示された要素、構成要素、特徴、部品、工程、手段他の種々の組合せを好適に含んでも、それらで構成されても、または本質的にそれらで構成されてもよい。開示された要素、構成要素、特徴、部品、工程、手段他のいくつかは、これらが同時に１つの実施態様に存在し得ないことから相互に矛盾する場合もある。同様にいくつかの特徴は、本開示の１つの態様に適用可能であるが、他の態様に適用できないこともある。さらに本開示は、現時点で特許請求されていない他の発明を含む。出願人は、これら現時点で特許請求されていない発明の追加出願、継続出願、一部継続出願、分割出願などを行う権利を含む全ての権利を留保する。従って当然のことだが、本開示の利点、実施形態、実施例、機能、特徴、構造、および他の態様は、特許請求の範囲またはそれと同等のものを限定することによって規定されるので、本開示を限定するものとして考慮すべきではない。
【図１】
2015509890.tif 000003
【図２】
2015509890.tif 000004
【図３】
2015509890.tif 000005
【図４Ａ】
2015509890.tif 000006
【図４Ｂ】
2015509890.tif 000007
【図５】
2015509890.tif 000008
【図６】
2015509890.tif 000009
【図７】
2015509890.tif 000010
【図８】
2015509890.tif 000011
【図９】
2015509890.tif 000012
【手続補正書】
【提出日】平成26年3月4日(2014.3.4)
【手続補正１】
【補正対象書類名】特許請求の範囲
【補正対象項目名】全文
【補正方法】変更
【補正の内容】
【特許請求の範囲】
【請求項１】
喫煙品用のパックであって、このパックは、２つの対向する大きな壁の間を延びたこれより小さい２つの小さい側壁、頂壁および底壁を有し、喫煙品用の空間を画定した胴体と、この空間内の喫煙品に触れることできるようにするために少なくとも１つの小さい壁に設けられた開口部と、この開口部が形成された小さい壁に枢動可能に取り付けられ、該開口部を開閉するための蓋とを含み、蓋は、大きな壁の少なくとも１つの面に対して斜めに延びたヒンジ線に沿って小さい壁の１つに取り付けられ、蓋が取り付けられる小さい壁が胴体の小さい頂壁または側壁であるパック。
【請求項２】
前記ヒンジ線は、開口部が設けられた小さい壁の対向する第１および第２縁部の間を延び、第１縁部は小さい壁および２つの大きい壁の１つによって画定され、第２縁部は、小さい壁ともう一方の大きい壁によって画定されていることを特徴とする請求項１記載のパック。
【請求項３】
ヒンジ線は、開口部が形成された小さい壁の対向する第３および第４縁部の間を延び、第３の縁部はこの小さい壁と２つの対向する小さい壁の内の１つによって画定され、第４の縁部はこの小さい壁と２つの対向する小さい壁のもう一方の壁によって画定されていることを特徴とする請求項１記載のパック。
【請求項４】
ヒンジ線は、開口部が形成された小さい壁の第１および第３縁部の間を延び、第１縁部はこの小さい壁と大きい壁の内の１つによって画定され、第３の縁部は、この小さい壁ともう一方の小さい壁によって画定されていることを特徴とする請求項１記載のパック。
【請求項５】
ヒンジ線は、小さい壁の内の１つと大きな壁の内の１つの間に形成された１つの角から、別の小さい壁ともう一方の大きな壁によって形成された反対の角へと延びていることを特徴とする請求項１記載のパック。
【請求項６】
蓋が開口部を覆う閉じた位置に蓋を保持するように構成された係止機構を含んで構成されていることを特徴とする請求項１乃至５いずれか１項記載のパック。
【請求項７】
前記大きい壁または小さい壁の内の一方の内面に接して位置するフレームをさらに含み、前記蓋はヒンジ式蓋壁とその縁部から垂下した第２の蓋壁とを含み、第２の蓋壁は、蓋が閉じた位置にあるとき、フレームに形成された第２係止エレメントと係合する第１係止エレメントを含むことを特徴とする請求項６記載のパック。
【請求項８】
開口端部が形成された外方ハウジングをさらに含んでもよく、胴体は、外方ハウジング内に収容され、そして胴体が外方ハウジング内に実質的に収容され、蓋が開口部を覆う閉じた位置と胴体が少なくとも部分的に外方ハウジングの開口端部から延出し、開口部を露出させる開いた位置の間で外方ハウジング内を入れ子式にスライド可能に構成されていることを特徴とする請求項６記載のパック。
【請求項９】
前記蓋はヒンジ式蓋壁とその縁部から垂下した第２の蓋壁とを含み、第２の蓋壁は、蓋が閉じた位置にあるとき、外方ハウジングに形成された第２係止エレメントと係合する第１係止エレメントを含むことを特徴とする請求項８記載のパック。
【請求項１０】
前記ハウジングの内面に接して位置するフレームをさらに含み、蓋はヒンジ式蓋壁とその縁部から垂下した第２の蓋壁とを含み、第２の蓋壁は、蓋が閉じた位置にあるとき、フレームに形成された第２係止エレメントと係合する第１係止エレメントを含むことを特徴とする請求項８記載のパック。 
【請求項１１】
胴体を外方ハウジングに対してスライド方向に付勢するように構成された付勢エレメントをさらに含むことを特徴とする請求項８乃至１０いずれか１項記載のパック。
【請求項１２】
前記開口部は、２つの小さい壁を横断して延び、蓋が閉じた位置にあるとき、ヒンジ式蓋壁と第２の蓋壁はこの開口部を覆うことを特徴とする請求項７乃至１１いずれか１項記載のパック。
【請求項１３】
開口部は、２つの小さい壁と大きい壁を横断して延び、蓋は、蓋が閉じた位置にあるとき、開口部を覆うように第３の壁を含むことを特徴とする請求項７乃至１１いずれか１項記載のパック。
【請求項１４】
蓋が胴体の小さい頂壁に取り付けられ、この蓋が取り付けられた小さい頂壁は、２つの小さい側壁および２つの大きい壁より小さいことを特徴とする請求項１記載のパック
【請求項１５】
胴体の開口部は、小さい頂壁と小さい側壁の１つの少なくとも一部を横断して延び、蓋は開口部が形成された小さい側壁に取り付けられ、本発明のパックは、さらに内方ケーシングを含み、内方ケーシングは、胴体に収容され、そして内方ケーシングが実質的に胴体に収容され、蓋が開口部を少なくとも部分的に覆う閉じた位置と内方ケーシングの少なくとも一部が胴体の小さい頂壁の開口部から延出し、蓋が開口部から離れて延びた開いた位置の間で胴体内を入れ子式にスライド可能に構成されていることを特徴とする請求項１乃至６いずれか１項記載のパック。
【請求項１６】
喫煙品用パックが提供され、このパックは、２つの対向する大きい壁の間を延びたこれより小さい２つの側壁、底壁および開口頂端部を有する外方ハウジングと、一束の喫煙品を収容するように構成された内方ケーシングとを含み、この内方ケーシングは、内方ケーシングの少なくとも一部が外方ハウジングの開口端から延出し、内方ケーシングに収容された喫煙品に触れることができるようにする開いた位置と内方ケーシングが開いた位置より外方ハウジング内に格納された閉じた位置の間で外方ハウジング内を入れ子式にスライド可能であり、このパックは、さらにヒンジ式蓋を含み、この蓋は、その少なくとも一部が開口頂端部を覆う閉じた位置とそれがこの開口頂端部から離れるように延びた開いた位置との間で枢動可能であり、このヒンジ式蓋は、大きな壁に直交する角度で形成されたヒンジ線に沿って外方ハウジングの小さい側壁の１つに接続されているパック。
【請求項１７】
胴体を外方ハウジングに対してスライド方向に付勢するように構成された付勢エレメントをさらに含むことを特徴とする請求項１６記載のパック。
【国際調査報告】
2015509890.tif 000013
2015509890.tif 000014
2015509890.tif 000015
2015509890.tif 000016